(57)【特許請求の範囲】
【請求項１】
プレス成型によって製造される複数の端子を２列に並べてハウジングに一体にインサート成形するコネクタのインサート成形方法において、
プレス成型によって製造する際に生じた長手方向の反りを前記複数の端子を２列に並べた際に互いの反り方向が列の外側に向くように前記複数の端子を並べ、櫛歯の間の各溝に前記複数の端子を入り込ませて整列される櫛歯状治具を前記２列に並べた複数の端子に当てたときに前記２列に並べた複数の端子の先端が整列した状態で回路基板の接続孔に挿入されるように前記ハウジングの金型にセットしてインサート成形することを特徴とするコネクタのインサート成形方法。
【発明の詳細な説明】
【技術分野】
【０００１】
本発明は、複数の端子を有するコネクタのインサート成形方法に関する。
【背景技術】
【０００２】
従来、インサート成形によってハウジングと端子とを一体化したコネクタが利用されている。例えば、特許文献１には、形状精度および強度を向上させたコネクタが提案されている。
【０００３】
ところで、コネクタは、端子の反りが原因で、端子の挿入先への挿入が困難となる場合がある。そこで、挿入先への挿入前に複数の端子を整列させるようにした治具が提案されている。例えば、特許文献２には、複数の端子をハウジングに形成された孔に自動で挿入する自動組立装置が記載されている。この自動組立装置は、櫛歯状治具を端子に自動であてることによって端子を整列させるようにしている。
【先行技術文献】
【特許文献】
【０００４】
【特許文献１】特開２００９−１４６８５２号公報
【特許文献２】特開平２−２２０３８３号公報
【発明の概要】
【発明が解決しようとする課題】
【０００５】
しかしながら、櫛歯状治具を用いたとしても、端子がハウジングに２列で配置されるコネクタにあっては、一方の列の端子が他方の列の端子側に反っていると、すなわち、端子が列の内側に反っていると、櫛歯状治具が端子にあたり難くなり、結果的に端子の接続先への端子の挿入が難しくなるという問題があった。
【０００６】
本発明は、上記に鑑みてなされたものであって、端子の接続先への端子の挿入が容易となるコネクタのインサート成形方法を提供することを目的とする。
【課題を解決するための手段】
【０００７】
上述した課題を解決し、目的を達成するために、本発明の請求項１にかかるコネクタのインサート成形方法は、プレス成型によって製造される複数の端子を２列に並べてハウジングに一体にインサート成形するコネクタのインサート成形方法において、
プレス成型によって製造する際に生じた長手方向の反りを前記複数の端子を２列に並べた際に互いの反り方向が列の外側に向くように前記複数の端子を並べ、櫛歯の間の各溝に前記複数の端子を入り込ませて整列される櫛歯状治具を前記２列に並べた複数の端子に当てたときに前記２列に並べた複数の端子の先端が整列した状態で回路基板の接続孔に挿入されるように前記ハウジングの金型にセットしてインサート成形することを特徴とする。
【発明の効果】
【０００８】
本発明の請求項１にかかるコネクタのインサート成形方法は、２列に並んだ複数の端子が端子の列の外側に反り方向が向くようにハウジング金型にセットされるため、製造されたコネクタは、端子の列の外側から列の外側に反った端子に対して櫛歯状治具を確実にあてることができ、結果的に端子の接続先への端子の挿入が容易となる。
【図面の簡単な説明】
【０００９】
【図１】図１は、本発明の実施の形態にかかるコネクタのインサート成形方法によって製造されたコネクタを示した斜視図ある。
【図２】図２は、図１に示したコネクタが回路基板に挿入されることを説明するための図である。
【図３】図３は、図１に示した信号系端子の斜視図である。
【図４】図４は、反った状態の信号系端子を示した図である。
【図５】図５は、コネクタのインサート成形方法を説明するための図である。
【図６】図６は、図２に示したコネクタが回路基板に挿入されるまでの手順を例示した図である。
【発明を実施するための形態】
【００１０】
以下、図面を参照して、本発明にかかるコネクタのインサート成形方法の好適な実施の形態を詳細に説明する。なお、この実施の形態によってこの発明が限定されるものではない。
【００１１】
実施の形態
図１は、本発明の実施の形態にかかるコネクタのインサート成形方法によって製造されたコネクタ１を示した斜視図である。図２は、図１に示したコネクタ１が回路基板５０に挿入されることを説明するための図である。コネクタ１は、信号系端子１０と、電源系端子２０と、ブッシュ３０と、ハウジング４０とを有する。
【００１２】
信号系端子１０は、回路基板５０に接続され、小電流の制御信号を伝達するための端子である。信号系端子１０は、図３に示すように、長手方向の寸法Ｓが例えば約７６ｍｍと長いため、プレス成型によって、図４に示すように、長手方向の反りが生ずる。
【００１３】
電源系端子２０は、図示しない電源基板に溶接され、大電流の電源電流を伝達するための端子である。ブッシュ３０は、ハウジング４０を後述するユニット６０へ取り付けるための取付孔を形成する。
【００１４】
コネクタ１は、信号系端子１０と、電源系端子２０と、ブッシュ３０とをインサート品として、ハウジング４０と一体化してインサート成形されたものである。コネクタ１は、図２に示すようにボルト６０ａによってユニット６０に組みつけた後、信号系端子１０が回路基板５０にはんだ付けされ、電源系端子２０が図示しない電源基板に溶接される。信号系端子１０は、櫛歯状治具７０をあてられることによって、すなわち、櫛歯７０ａの間の各溝７０ｂに各信号系端子１０が入り込むことよって整列される。その後、信号系端子１０は、整列した状態で回路基板５０の接続孔５０ａに挿入される。その後、信号系端子１０は、回路基板５０にはんだ付けされる。
【００１５】
ここで、本実施の形態にかかるコネクタのインサート成形方法について図５を用いて説明する。図５は、コネクタのインサート成形方法を説明するための図である。
【００１６】
まず、図５（ａ）および図５（ｂ）に示すように、信号系端子１０をハウジング金型８０にセットする。より具体的には、各列の複数の信号系端子１０をハウジング金型８０のセット穴である信号系端子用セット穴８０ａに挿入する。この信号系端子１０のハウジング金型８０へのセットの際、信号系端子１０は、２列の各端子が相対向する向きに対して、該２列に並ぶ端子の列の外側に反り方向Ｄが向くように、反り方向Ｄを揃えて信号系端子用セット穴８０ａにセットされる。
【００１７】
その後、図５（ｃ）に示すように、ハウジング４０を形成するための樹脂等がハウジング金型８０内に注入され、インサート品とハウジング４０とが一体化したコネクタ１が成形される。なお、図には示していないが、ハウジング金型８０内への樹脂等の注入の前には、インサート品である電源系端子２０およびブッシュ３０についてもハウジング金型８０へのセットは完了しているものとする。
【００１８】
その後、図５（ｄ）に示すように、コネクタ１をハウジング金型８０から離型することによって、本発明の実施の形態にかかるコネクタのインサート成形方法は完了する。このコネクタのインサート成形方法によって製造されたコネクタ１は、図５（ｄ）に示すように、各信号系端子１０は、端子の列の外側に反り方向Ｄが向いている。これは、金属自体のバネ性が強いため、ハウジング金型８０の信号系端子用セット穴８０ａにセットした程度では、反り量は変わらないためである。
【００１９】
次に、本発明の実施の形態にかかるコネクタのインサート成形の方法によって製造されたコネクタ１が回路基板５０に挿入されるまでの手順を例示する。図６は、図２に示したコネクタ１が回路基板５０に挿入されるまでの手順を例示した図である。
【００２０】
まず、図６（ａ）に示すように、回路基板５０の接続孔５０ａとコネクタ１の信号系端子１０とがほぼ対応する位置にコネクタ１を配置する。このとき、各信号系端子１０は、端子の列の外側に反り方向Ｄが向いている。
【００２１】
その後、図６（ｂ）に示すように、信号系端子１０の列の外側から櫛歯状治具７０をあてる。このとき、信号系端子１０は列の外側に反り方向Ｄが向いているため、櫛歯状治具７０は、端子の列の外側から各列の信号系端子１０に確実にあたることになる。すなわち、確実に２列の信号系端子１０を整列させることができる。
【００２２】
その後、図６（ｃ）に示すように、信号系端子１０を回路基板５０の接続穴に挿入する。このとき、櫛歯状治具７０によって信号系端子１０が整列されているため、信号系端子１０を回路基板５０の接続穴５０ａに容易に挿入することができる。
【００２３】
この実施の形態では、２列に並んだ複数の信号系端子１０が端子の列の外側に反り方向Ｄが向くようにハウジング４０に一体化されるため、製造されたコネクタ１は、２列に並んだ複数の信号系端子１０の列の外側から列の外側に反った信号系端子１０に対して櫛歯状治具７０を確実にあてることができるので、回路基板５０の接続穴５０ａへの信号系端子１０の挿入が容易となる。
【００２４】
また、この実施の形態では、長手方向の寸法が長いために長手方向の反りが発生しやすい信号系端子１０が端子の列の外側に反り方向Ｄが向くようにハウジング４０に一体化されるため、製造されたコネクタ１は、２列に並んだ複数の信号系端子１０の列の外側から列の外側に反った信号系端子１０に対して櫛歯状治具７０を確実にあてることができるので、回路基板５０の接続穴５０ａへの反りやすい信号系端子１０の挿入が容易となる。
【００２５】
また、この実施の形態では、信号系端子１０の位置出しのための各信号端子１０の反り矯正あるいは反り抑制を省略することができるので、結果的に工程の省略によるコスト低減効果を得ることができる。
【００２６】
なお、この実施の形態では、信号系端子１０および電源系端子２０を有するコネクタ１を例示したが、これに限らず、複数の端子を有するコネクタであればよい。すなわち、反り方向Ｄを揃える端子は、信号系端子１０に限らず、その他の端子であってもよい。
【符号の説明】
【００２７】
１      コネクタ
１０    信号系端子
２０    電源系端子
３０    ブッシュ
４０    ハウジング
５０    回路基板
５０ａ  接続孔
６０    ユニット
６０ａ  ボルト
７０    櫛歯状治具
７０ａ  櫛歯
７０ｂ  溝
８０    ハウジング金型
８０ａ  信号系端子用セット穴
Ｄ    方向
【図１】
0005632217.tif 000002
【図２】
0005632217.tif 000003
【図３】
0005632217.tif 000004
【図４】
0005632217.tif 000005
【図５】
0005632217.tif 000006
【図６】
0005632217.tif 000007